(57)【要約】【目的】簡単に楽曲登録作業を行うことができるデジタルテレビ受信機を提供すること。【構成】放送番組を受信するチューナーと、デジタルカメラからのカメラデータを入力し並びに放送番組データをデジタルカメラに出力するカメラデータ入出力部と、放送番組データをカメラに出力し終えたことを操作者に知らせる告知手段と、放送番組を選択する放送番組選択指示部と、放送番組データとカメラデータの入出力を制御する入出力選択部と、映像復号部と、音声復号部と、カメラ映像と放送番組とメッセージを表示する映像表示手段と、音声及び音楽を再生する音声再生手段を含んでデジタルテレビ受信機を構成する。【選択図】      図１
2004297322.tif 000002
【特許請求の範囲】
【請求項１】
放送番組を受信するチューナーと、デジタルカメラからのカメラデータを入力し並びに放送番組データをデジタルカメラに出力するカメラデータ入出力部と、放送番組データをカメラに出力し終えたことを操作者に知らせる告知手段と、放送番組を選択する放送番組選択指示部と、放送番組データとカメラデータの入出力を制御する入出力選択部と、映像復号部と、音声復号部と、カメラ映像と放送番組とメッセージを表示する映像表示手段と、音声及び音楽を再生する音声再生手段とを有することを特徴とするデジタルテレビ受信機。
【請求項２】
前記デジタルカメラは、デジタルスチルカメラ、デジタルビデオカメラ、デジタルスチルカメラ対応の半導体メモリ、デジタルビデオカメラ対応の半導体メモリ、デジタルスチルカメラ対応の磁気記録装置又はデジタルビデオカメラ対応の磁気記録装置であることを特徴とする請求項１記載のデジタルテレビ受信機。
【請求項３】
前記放送番組選択指示部は、カメラデータに含まれる放送番組情報に基づいて放送番組を選択指示することを特徴とする請求項１記載のデジタルテレビ受信機。
【請求項４】
前記チューナー部は、デジタル衛星放送、デジタル地上波放送、デジタルケーブルテレビ放送又は前記２つ又は全てを受信可能であることを特徴とする請求項１記載のデジタルテレビ受信機。
【請求項５】
放送番組を受信するチューナーと、ネットワーク接続部と、デジタルカメラからのカメラデータを入力し並びに放送番組データをデジタルカメラに出力するカメラデータ入出力部と、放送番組データをカメラに出力し終えたことを操作者に知らせる告知手段と、放送番組を選択する番組選択指示部と、放送番組データとカメラデータの入出力を制御する入出力選択部と、映像復号部と、音声復号部と、カメラ映像と放送番組とメッセージを表示する映像表示手段と、音声及び音楽を再生する音声再生手段とを有することを特徴とするデジタルテレビ受信機。
【請求項６】
前記番組選択指示部は、カメラデータに含まれる番組情報に基づいて放送番組又はネットワーク接続先を指示する請求項５記載のデジタルテレビ受信機。
【請求項７】
放送番組を受信するチューナーと、ネットワーク接続部と、デジタルカメラからのカメラデータを入力し並びに放送番組データをデジタルカメラに出力するカメラデータ入出力部と、放送番組データをカメラに出力し終えたことを操作者に知らせる告知手段と、操作者が希望番組を対話的に選択する操作手段と、放送番組を選択する番組選択指示部と、放送番組データとカメラデータの入出力を制御する入出力選択部と、映像復号部と、音声復号部と、カメラ映像と放送番組とメッセージを表示する映像表示手段と、音声及び音楽を再生する音声再生手段とを有することを特徴とするデジタルテレビ受信機。
【請求項８】
放送番組を受信するチューナーと、ネットワーク接続部と、デジタルカメラからのカメラデータを入力し並びに放送番組データをデジタルカメラに出力するカメラデータ入出力部と、放送番組データをカメラに出力し終えたことを操作者に知らせる告知手段と、操作者が希望番組を対話的に選択する操作手段と、放送番組を選択する番組選択指示部と、放送番組データとカメラデータの入出力を制御する入出力選択部と、映像復号部と、音声復号部と、音声蓄積部と、カメラ映像と放送番組とメッセージを表示する映像表示手段と、音声及び音楽を再生する音声再生手段とを有することを特徴とするデジタルテレビ受信機。
【請求項９】
放送番組を受信する工程と、ネットワーク接続する工程と、デジタルカメラからのカメラデータを入力し並びに放送番組データをデジタルカメラに出力する工程と、放送番組データをカメラに出力し終えたことを操作者に告知する工程と、操作者が希望番組を対話的に選択する工程と、放送番組を選択する工程と、放送番組データとカメラデータの入出力を制御する工程と、映像の復号を行う工程と、音声の復号を行う工程と、音声データを蓄積する工程と、カメラ映像と放送番組とメッセージを表示する工程と、音声及び音楽を再生する工程とを有することを特徴とするデジタル放送受信方法。
【発明の詳細な説明】
【０００１】
【発明の属する技術分野】
本発明は、デジタル映像の鑑賞に関し、特にデジタルテレビ受信機によるデジタル映像と音声及び音楽の鑑賞に関する。
【０００２】
【従来の技術】
撮影された静止画像は、プリントにより鑑賞されるのが一般的であった。しかし、デジタルカメラが登場してからは、プリントによる鑑賞だけでなく、パソコンのモニタやテレビ等のディスプレイ画面による楽しみ方が増加してきた。当然の成り行きとして、撮影した静止画像に相応しい音楽を対応つけて鑑賞することが提案されている。
【０００３】
具体的には、特開平９−２２４１６号にあるように、複数の音楽又は音声を記憶している音声記憶媒体と、画像と組み合わせる音声情報を前記音声記憶媒体に記憶された複数の音声から選択する音声情報選択手段と、画像とこれに応じて選択された音声情報との組み合わせに関する情報を記憶する組み合わせ情報記憶媒体を具備する電子アルバム装置が提案されている。
【０００４】
【発明が解決しようとする課題】
しかしながら、上記電子アルバム装置は多数の楽曲を大容量記憶装置に蓄えておく専用装置であるので、簡単に楽曲登録作業が行える半面、楽曲の高価な著作権料や歌手の出演料負担と装置設置場所の点で一般家庭向きではなかった。
【０００５】
本発明は上記問題に鑑みてなされたものであり、その目的とする処は、簡単に楽曲登録作業を行うことができるデジタルテレビ受信機及びデジタル放送受信方法を提供することにある。
【０００６】
【課題を解決するための手段】
上記目的を達成するため、本発明は、放送番組を受信するチューナーと、デジタルカメラからのカメラデータを入力し並びに放送番組データをデジタルカメラに出力するカメラデータ入出力部と、放送番組データをカメラに出力し終えたことを操作者に知らせる告知手段と、放送番組を選択する放送番組選択指示部と、放送番組データとカメラデータの入出力を制御する入出力選択部と、映像復号部と、音声復号部と、カメラ映像と放送番組とメッセージを表示する映像表示手段と、音声及び音楽を再生する音声再生手段とを含んでデジタルテレビ受信機を構成したことを特徴とする。
【０００７】
又、本発明は、放送番組を受信する工程と、ネットワーク接続する工程と、デジタルカメラからのカメラデータを入力し並びに放送番組データをデジタルカメラに出力する工程と、放送番組データをカメラに出力し終えたことを操作者に告知する工程と、操作者が希望番組を対話的に選択する工程と、放送番組を選択する工程と、放送番組データとカメラデータの入出力を制御する工程と、映像の復号を行う工程と、音声の復号を行う工程と、音声データを蓄積する工程と、カメラ映像と放送番組とメッセージを表示する工程と、音声及び音楽を再生する工程とを含んでデジタル放送受信方法を構成したことを特徴とする。
【０００８】
【発明の実施の形態】
以下に本発明の実施の形態を添付図面に基づいて説明する。
【０００９】
＜実施の形態１＞
図１は本発明の実施の形態１に関し、特に請求項１〜４の特徴を良く表している。即ち、デジタル放送を受信可能なデジタルテレビ受信機において、デジタルカメラで撮影した映像とデジタル放送番組とが連動できる構成を示している。
【００１０】
図１において、デジタルカメラ１０１は、デジタル静止画撮影又はデジタル動画撮影ができるデジタルカメラ本体であると同時にデジタル放送を受信する機能を有する。カメラデータ入出力部１０３は、前記デジタルカメラ１０１で撮影した撮影データを受け取る入力部である。撮影データの受け取り方はＩＥＥＥ１３９４やＵＳＢ等の通信手段によっても良く、半導体メモリカードやハードディスク等のリムーバブル記憶媒体による構成も可能である。
【００１１】
アンテナ１０６は、デジタル放送波受信アンテナであり、デジタル衛星放送やデジタル地上波放送やデジタルケーブルテレビ放送の一部又は全部を受信できる。チューナー部１０２は、前記アンテナ１０６に接続されおり、デジタル放送の多数のサービスの中から所望の編成チャンネルの番組を抽出できる。特に本実施の形態では、デジタルカメラで撮影した映像の鑑賞に用いるＢＧＭ用音楽放送を抽出できる。
【００１２】
放送番組選択指示部１０４は、カメラデータに基づいて受信するデジタル放送番組を決定し、チューナー部に指示する。告知手段１０５は、所望のデジタル放送番組の受信が完了し、デジタルカメラの記憶手段（半導体メモリ、磁気記録装置等）に前記番組データを記録完了したことを示す。具体的には、ＬＥＤ光、ブザー音等であるが、表示部１１１にメッセージを表示することで代用することもできる。入出力選択部１０７は、本デジタルテレビの複数の入力源、即ちデジタル放送番組とカメラデータを音声、映像、データに分解し、各々の処理を担当する機能ブロックに送出する。
【００１３】
音声復号部１０８は、デジタル符号化された音声圧縮データを復号する。映像復号部１０９は、デジタル符号化された映像圧縮データを復号する。音声再生手段１１０は、復号処理後のデジタル音声データを受けて可聴音に変換する電気−機械変換装置である。表示部１１１は、復号処理後のデジタル映像データを受け、ディスプレイ表示により可視化する。操作手段１１２は、カメラデータ入出力部に映像と音声の一部又は全部の再生を指示する。具体的には、リモートコントローラーやスイッチである。以上が図１に示す実施の形態１の構成である。
【００１４】
図１において、デジタルカメラ１０１は、デジタル放送受信機能を有しているので、撮影場面に相応しいＢＧＭ番組を予め選択することができる。例えば、デジタルカメラ１０１で子供のサッカー大会を撮影する場合、スポーツ映像に相応しいテンポの音楽番組情報をデジタル放送の電子番組案内から取得して、撮影映像の附帯情報としてカメラデータを構成できる。デジタルカメラ１０１は撮影映像と番組情報から成るカメラデータをカメラデータ入出力部１０３へ入力する。カメラデータ入出力手段１０３は、告知手段１０５の状態をＯＦＦ（番組取得未完状態）にし、カメラデータから番組情報を抽出し、放送番組選択指示部１０４へ送る。方法番組選択指示部１０４は、受け取った番組情報を更に分析し、編成チャンネル、番組開始時刻や番組継続時間等を取得し、チューナー部１０２に番組取得指示を与える。
【００１５】
しかしながら、オンデマンド番組配信サービスではないデジタル放送波はその帯域幅の制限から同時に送出できる番組数は有限であるので、所望の音楽番組が所望の時刻に取得できるとは限らない。同一番組の繰り返し放送周期を最大待ち時間とする放送受信待ち受け時間が経過すると、所望の番組を受信・取得できる。番組放送時刻になると、チューナー１０２は該当する編成チャンネルに設定して番組受信を始める。受信した番組は、入出力選択部１０７を経由してカメラデータ入出力部１０３に送られる。所望の番組放送が終了し、全ての番組データをデジタルカメラ１０１の記憶装置に送出し終えたら、告知手段１０５をＯＮ（番組取得完了状態）にする。この時点で操作者は任意に操作手段１１２に指示を与えることで、ＢＧＭ付撮影映像を鑑賞することができる。
【００１６】
図６はデジタルカメラ１０１に記憶されている映像、音声、データ等のカメラデータの階層論理構造の例を示している。
【００１７】
図６において、Ｒｏｏｔ６０１は第１  階層であり、カメラデータ全体を統括するものである。Ｉｍａｇｅ６０２、Ｖｉｄｅｏ６０３、Ａｕｄｉｏ６０４、ＭＩＳＣ６１５は第２階層であり、それぞれ静止画、動画、音声／音楽、プログラムを統括している。６０５，６０６，６０７はＪＰＥＧフォーマットの静止画データであり、デジタルカメラで撮影された個々のデジタル写真である。６０８，６０９，６１０は動画像であり、ＭＰＥＧ２フォーマットで記録されている。６１１，６１２，６１３は音声／音楽データであり、それぞれＭＰ３フォーマット、ＭＰ３フォーマット、ＡＡＣフォーマットで記録されている。６１１と６１２の音声／音楽データＡｕｄｉｏ１．ｍｐ３，  Ａｕｄｉｏ２．ｍｐ３はデジタルカメラで収録されたものである。
【００１８】
一方、６１３の音声／音楽データＡｕｄｉｏ３．ａａｃはデジタル放送番組から取得したものである。Ａｕｔｏｐｌａｙ．ｐｒｏ６１４はスライドショープログラムであり、前記静止画像、動画像、音声／音楽データを組み合わせて鑑賞に供する。
【００１９】
図７は前記プログラムファイルＡｕｔｏｐｌａｙ．ｐｒｏの構成例を示す。
【００２０】
図７において、７０１は本ファイルをデジタルカメラに最後に記録した日付や時刻の記録領域である。７０２は本プログラムによって行われるスライドショーの映像、音声の再生時間、時刻を指定する領域である。７０３はスライドショーで使用される１つ又は複数の静止画像ファイルのフォーマット、ファイル名を指定する領域である。７０４はスライドショーで使用される１つ又は複数の動画像ファイルのフォーマット、ファイル名を指定する領域である。
【００２１】
７０５はスライドショーで使用される１つ又は複数の音声／音楽データのフォーマット、ファイル名を指定する領域である。７０６はデジタル放送受信機能を有するデジタルカメラがデジタル放送から取得した放送番組情報の記録領域であり、スライドショーで使用する楽曲等の音声・音楽データをデジタルテレビを用いてデジタル放送から取得するときに参照される。
【００２２】
図８は前記放送番組情報７０６の内容の詳細構成例を表している。
【００２３】
図８において、サービスタイプ８０１は番組のタイプを示す領域であり、テレビ型番組、ラジオ型番組、データ放送型番組等の識別ができる。編成チャンネル名８０２は所望の番組が放送されるチャンネルを示す領域である。番組ＩＤ８０３は、所望の番組の指し示す番組固有の番号を示す領域である。８０４は所望の番組名称を示す領域である。８０５は所望の番組が放送される日時を示す領域である。８０６は番組の時間長を示す領域である。８０７は番組のジャンルを示す領域である。
【００２４】
＜実施の形態２＞
図２は本発明の実施の形態１に関し、特に請求項５，６の特徴を良く表している。即ち、デジタル放送を受信可能なデジタルテレビ受信機において、デジタルカメラで撮影した映像とデジタル放送番組及びインターネット等のネットワークリソースとが連動できる構成を示している。
【００２５】
図２において、デジタルカメラ２０１は、デジタル静止画撮影又はデジタル動画撮影ができるデジタルカメラ本体であると同時にデジタル放送を受信する機能を有する。カメラデータ入出力部２０６は、前記デジタルカメラ２０１で撮影した撮影データを受け取る入力部であり、加えて告知手段２０５と操作手段２１４とも接続されている。撮影データの受け取り方はＩＥＥＥ１３９４やＵＳＢ等の通信手段によっても良く、半導体メモリカードやハードディスク等のリムーバブル記憶媒体による構成も可能である。
【００２６】
アンテナ２１３は、デジタル放送波受信アンテナであり、デジタル衛星放送やデジタル地上波放送やデジタルケーブルテレビ放送の一部又は全部を受信できる。チューナー部２０２は、前記アンテナ２１３に接続されおり、デジタル放送の多数のサービスの中から所望の編成チャンネルの番組を抽出できる。ネットワーク２０７は、インターネットやイントラネットであり、ＷＷＷやストリーミング等の技術によって映像、音声／音楽、データ、テキストの一部又は全部から構成されるコンテンツを配信している。特に本実施の形態では、デジタルカメラで撮影した映像の鑑賞に用いるＢＧＭ用音楽放送を抽出できる。
【００２７】
ネットワーク接続部２０４は、前記ネットワーク２０７にアクセスする部分であり、電話、ＩＳＤＮ、ＤＳＬ、光ファイバー等の各種アクセス網とのインタフェースである。番組選択指示部２０３は、カメラデータに基づいて取得するコンテンツ配信メディアを決定する。即ち、デジタル放送からコンテンツを取得するのか、ネットワークからコンテンツを取得するかによって、チューナー部２０２又はネットワーク接続部２０４に指示する。
【００２８】
告知手段２０５は、所望のデジタル放送番組の受信が完了し、デジタルカメラの記憶手段（半導体メモリ、磁気記録装置等）に前記番組データを記録完了したことを示す。具体的には、ＬＥＤ光、ブザー音等であるが、表示部２１２にメッセージを表示することで代用することもできる。入出力選択部２０８は、本デジタルテレビの複数の入力源、即ちデジタル放送番組とカメラデータを音声、映像、データに分解し、各々の処理を担当する機能ブロックに送出する。
【００２９】
音声復号部２０９は、デジタル符号化された音声圧縮データを復号する。映像復号部２１０は、デジタル符号化された映像圧縮データを復号する。音声再生手段２１１は、復号処理後のデジタル音声データを受けて可聴音に変換する電気−機械変換装置である。表示部２１２は、復号処理後のデジタル映像データを受け、ディスプレイ表示により可視化する。操作手段２１４は、カメラデータ入出力部に映像と音声の一部又は全部の再生を指示する。具体的には、リモートコントローラーやスイッチである。以上が図２に示す実施の形態２の構成である。
【００３０】
図２において、デジタルカメラ２０１は、ネットワークアクセス機能を有しているので、撮影場面に相応しいＢＧＭ番組をネットワークリソースから予め選択することができる。例えば、デジタルカメラ２０１で子供のサッカー大会を撮影する場合、スポーツ映像に相応しいテンポの音楽番組情報をインターネット放送の電子番組案内から取得して、そのＵＲＬやコンテンツフォーマットを撮影映像の附帯情報としてカメラデータを構成することができる。
【００３１】
デジタルカメラ２０１は撮影映像とコンテンツ情報から成るカメラデータをカメラデータ入出力部２０６へ入力する。カメラデータ入出力手段２０６は、告知手段１０５の状態をＯＦＦ（番組取得未完状態）にし、カメラデータからコンテンツ情報を抽出し、番組選択指示部２０３へ送る。番組選択指示部２０４は、受け取ったコンテンツ情報を更に分析し、ＵＲＬ、リアルタイムコンテンツ／オンデマンドコンテンツやコンテンツ継続時間等を取得し、ネットワーク接続部２０４にコンテンツ取得指示を与える。以下、実施の形態１と同様にコンテンツを取得して、スライドショーのＢＧＭとして使用する。
【００３２】
＜実施の形態３＞
図３は本発明の実施の形態３に関し、特に請求項７の特徴を良く表している。即ち、デジタル放送を受信可能なデジタルテレビ受信機において、デジタル放送受信機能やネットワークアクセス機能を有しないデジタルカメラで撮影した映像とデジタル放送番組及びインターネット等のネットワークリソースとが連動できる構成を示している。
【００３３】
図３において、本実施の形態の特徴的な構成を説明する。
【００３４】
番組情報蓄積部３１６は、デジタル放送やネットワークコンテンツの番組表またはリストを取得して蓄積、更新する。例えば、デジタル放送では電子プログラムガイドにより全放送番組の内容を知ることができる。番組選択指示部３０４は、番組情報を番組情報蓄積部３１６より受取る。受け取った番組情報は、入出力選択部３１０経由で表示部３１５に送られる。操作者は、番組情報を表示部３１５で参照して所望の番組を操作手段３０６で選択する。前記番組選択結果に基づいて番組選択部３０４はネットワーク接続部３０５によりネットワーク上のコンテンツにアクセスし、取得する。取得したコンテンツは、入出力選択部３１０経由でカメラデータ入出力部３０８に送られる。以下、実施の形態１と同様にスライドショーのＢＧＭとして使用する。
【００３５】
＜実施の形態４＞
図４及び図５は本発明の実施の形態４に関し、特に請求項８の特徴を良く表している。即ち、デジタル放送を受信可能なデジタルテレビ受信機において、デジタルカメラで撮影した映像とデジタル放送番組及びインターネット等のネットワークリソースを取得してデジタルテレビ内に蓄積して連動できる構成を示している。
【００３６】
図４における音声蓄積部４１２及び図５における音声蓄積部５１６は、デジタル放送又はネットワークリソースから取得した音声／音楽番組を一時的に蓄積する。本実施の形態では、前記音声蓄積部に蓄積されるデータは一時的に保持されるが、デジタルカメラの記憶部にコピーする等の外部へのコンテンツ取り出しはできない。
【００３７】
【発明の効果】
以上の説明で明らかなように、本発明によれば、デジタルカメラで撮影した映像に合わせて音声／音楽を再生し、鑑賞することができるという効果が得られる。
【図面の簡単な説明】
【図１】本発明の実施の形態１に係るデジタルテレビ受信機の構成を示すブロック図である。
【図２】本発明の実施の形態２に係るデジタルテレビ受信機の構成を示すブロック図である。
【図３】本発明の実施の形態３に係るデジタルテレビ受信機の構成を示すブロック図である。
【図４】本発明の実施の形態４に係るデジタルテレビ受信機の構成を示すブロック図である。
【図５】本発明の実施の形態４に係るデジタルテレビ受信機の構成を示すブロック図である。
【図６】デジタルカメラの記憶部のカメラ情報の論理構成図である。
【図７】自動スライドショー用ファイル構造を示す図である。
【図８】放送番組情報の説明図である。
【符号の説明】
１０１      デジタルカメラ
１０２      チューナー部
１０３      カメラデータ入出力部
１０４      放送番組選択指示部
１０５      告知手段
１０６      デジタル放送受信アンテナ
１０７      入出力選択部
１０８      音声復号部
１０９      映像復号部
１１０      音声再生手段
１１１      表示部
２０４      ネットワーク接続部
２０７      ネットワーク
２１４      操作手段
３１６      番組情報蓄積部
【図１】
2004297322.tif 000003
【図２】
2004297322.tif 000004
【図３】
2004297322.tif 000005
【図４】
2004297322.tif 000006
【図５】
2004297322.tif 000007
【図６】
2004297322.tif 000008
【図７】
2004297322.tif 000009
【図８】
2004297322.tif 000010